(57)【要約】【課題】ＩＰ構内交換機において収容されるＩＰ電話機の内線端末に対し、ＩＰ構内交換機へ負荷をかけず、またＩＰ電話機が通話中の場合に呼を切断することなく、内線一斉通知を可能とする。【解決手段】ＩＰ電話機５に予めマルチキャストＩＰアドレス及びポート番号を割り当てるとともに、この対応関係をＭＥＭ３に記憶しておく。ＩＰ電話機５から一斉放送をする場合、放送対象のＩＰ電話機をしたＩＰパケットを交換機１へ通知する。交換機１は、ＭＥＭ３から指定されたＩＰ電話機を検索し、該当するマルチキャストＩＰアドレスとポート番号を読み出し、マルチキャストＵＤＰパケットフォーマットに宛先アドレスとポート番号を指定しコネクションレスのＩＰパケットをＬＡＮに送出する。このＩＰパケットを受信したＩＰ電話機５は、自己のマルチキャストＩＰアドレスに該当する場合、パケットに含まれる放送情報を電話機へ表示する。【選択図】      図１
2004172685.tif 000002
【特許請求の範囲】
【請求項１】
ＩＰ制御装置と、記憶装置とを有するＩＰ構内交換機と、当該交換機とＬＡＮを経由して接続される複数のＩＰ電話機とで構成されるＩＰ構内交換システムにおいて、
前記ＩＰ電話機に対してマルチキャストＩＰアドレスとポート番号を割り当てるとともに、これら対応関係を前記記憶装置に記憶しておき、
前記ＩＰ電話機から内線一斉放送を要求する場合、前記ＩＰ電話機は、ＩＰパケットに放送したい情報と放送を要求するＩＰ電話機を指定して前記ＩＰ構内交換機へ送出し、
前記ＩＰ構内交換機は、前記一斉放送の要求を受信すると、当該ＩＰパケットに含まれるＩＰ電話機を抽出し、前記記憶装置から当該ＩＰ電話機に該当するマルチキャストＩＰアドレス及びポート番号を読み出した後、マルチキャストＵＤＰパケットフォーマットの宛先ＩＰアドレス及び宛先ポート番号のそれぞれに挿入するとともに、受信した放送したい情報をアプリケーションデータに挿入したＩＰパケットをＬＡＮへ送出し、
前記ＩＰ電話機は、前記ＩＰ構内交換機から前記一斉放送として送出されたＩＰパケットを受信し、自己に割り当てられたマルチキャストＩＰアドレスの場合に一斉放送受信と判断して電話機使用者に知らせることを特徴とするＩＰ構内交換システムにおけるＩＰ電話機の内線一斉放送方式。
【請求項２】
前記ＩＰ電話機を複数のグループに分け、各グループに前記マルチキャストＩＰアドレスを割り当てたことを特徴とする請求項１記載のＩＰ構内交換機におけるＩＰ電話機の内線一斉放送方式。
【請求項３】
前記ＬＡＮを介して前記ＩＰ構内交換機に接続され、前記記憶装置のデータを修正及び変更を行う保守端末を含むことを特徴とする請求項１又は２記載のＩＰ構内交換機におけるＩＰ電話機の内線一斉放送方式。
【発明の詳細な説明】
【０００１】
【発明の属する技術分野】
本発明は、構内交換システムにおける内線一斉放送方式に関し、特にＩＰ（インターネットプロトコルの略）構内交換機における会議開催通知、ニュース、株価情報、災害情報等の緊急伝達事項などのリアルタイムな情報を内線に対して一斉通知する技術に関する。
【０００２】
【従来の技術】
従来の構内交換機における内線一斉放送方式として、特開平０２−１８８０５１号公報に記載の技術が知られている。
【０００３】
この技術の目的は、内線一斉放送の対象となっている複数の内線端末のうち内線通話を行っている端末がある場合は該当端末の内線通話を中断し、内線一斉放送の対象となるようにすることで、通話中の内線端末が内線一斉放送の対象外になることがないようにすることである。
【０００４】
放送もとの多機能電話機にて予め設定された一斉放送キーを押下することにより一斉放送の開始を指示すると、中央制御装置は放送もとの多機能電話機に対する呼出し音信号の送出制御を行う。ここで多機能電話機が他の内線端末と内線通話を行っている場合、中央処理制御装置は通話路回路を制御することにより多機能電話機と通話相手の内線端末間の接続を解除し、放送先の多機能電話機に一斉放送トーン信号を送出する。このため全ての放送先の多機能電話機と放送元の多機能電話機間が接続され、内線一斉放送が行われる。
【０００５】
【特許文献１】
特開平０２−１８８０５１号公報
【０００６】
【発明が解決しようとする課題】
しかしながら、上記公報に記載される技術、は以下のような問題を有する。第１に、音声による一斉放送のため放送先の聞き手は正確な情報を聞き逃す可能性があり確実性に欠ける部分がある。
【０００７】
第２に、一斉放送時に放送先の聞き手が通話中の場合、一旦呼を切断しさらに放送元との再接続が必要である。放送時聞き手が重要な会話を行っている場合、会話が中断されるため運用上問題が生じる可能性がある。
【０００８】
第３に、一斉放送時に全放送元の通話通話を切断し、再度放送元内線端末と放送先端末を接続する必要があり、構内交換機の制御において負荷が発生する。
【０００９】
そこで、本発明では、ＩＰ構内交換機において収容されるＩＰ電話機の内線端末に対し、上記問題点を解消しうるＩＰ構内交換システムの提供を目的とする。
【００１０】
【課題を解決するための手段】
請求項１記載の発明によれば、ＩＰ制御装置と、記憶装置とを有するＩＰ構内交換機と、当該交換機とＬＡＮを経由して接続される複数のＩＰ電話機とで構成されるＩＰ構内交換システムにおいて、前記ＩＰ電話機に対してマルチキャストＩＰアドレスとポート番号を割り当てるとともに、これら対応関係を前記記憶装置に記憶しておき、前記ＩＰ電話機から内線一斉放送を要求する場合、前記ＩＰ電話機は、ＩＰパケットに放送したい情報と放送を要求するＩＰ電話機を指定して前記ＩＰ構内交換機へ送出し、前記ＩＰ構内交換機は、前記一斉放送の要求を受信すると、当該ＩＰパケットに含まれるＩＰ電話機を抽出し、前記記憶装置から当該ＩＰ電話機に該当するマルチキャストＩＰアドレス及びポート番号を読み出した後、マルチキャストＵＤＰパケットフォーマットの宛先ＩＰアドレス及び宛先ポート番号のそれぞれに挿入するとともに、受信した放送したい情報をアプリケーションデータに挿入したＩＰパケットをＬＡＮへ送出し、前記ＩＰ電話機は、前記ＩＰ構内交換機から前記一斉放送として送出されたＩＰパケットを受信し、自己に割り当てられたマルチキャストＩＰアドレスの場合に一斉放送受信と判断して電話機使用者に知らせることを特徴とするＩＰ構内交換システムにおけるＩＰ電話機の内線一斉放送方式を得ることができる。
【００１１】
請求項２記載の発明によれば、前記ＩＰ電話機を複数のグループに分け、各グループに前記マルチキャストＩＰアドレスを割り当てたことを特徴とする請求項１記載のＩＰ構内交換機におけるＩＰ電話機の内線一斉放送方式を得ることができる。
【００１２】
請求項３記載の発明によれば、前記ＬＡＮを介して前記ＩＰ構内交換機に接続され、前記記憶装置のデータを修正及び変更を行う保守端末を含むことを特徴とする請求項１又は２記載のＩＰ構内交換機におけるＩＰ電話機の内線一斉放送方式を得ることができる。
【００１３】
【発明の実施の形態】
以下、図面を参照して、この発明の好適な実施の形態を例示的に説明する。ただし、この実施の形態に記載されている構成部品の寸法、材質、その相対配置などは、特に特定的な記載がない限りは、この発明の範囲をそれらのみに限定する趣旨のものではない。
【００１４】
図１に、本発明の一実施の形態に係る内線一斉方式を適用したＩＰ構内交換システムのブロック図を示す。このシステムは、ＩＰ構内交換機１と、これとＬＡＮを経由して接続されるＩＰ電話機５と保守端末６とから構成される。
【００１５】
ＩＰ構内交換機１は、交換システム全般の制御するＣＰＵ２と、一斉放送に必要なデータを記憶するメモリ（ＭＥＭ）３と、ＬＡＮインタフェースを備えたＬＡＮを介してＩＰ電話機５及び保守端末６との間でＩＰパケットの送受信が可能であるＩＰ制御装置４とを備える。ＩＰ制御装置４はＣＰＵ２の指示によりＵＤＰ（Ｕｓｅｒ  Ｄａｔａｇｒａｍ  Ｐｒｏｔｏｃｏｌの略）パケットを作成し、マルチキャストによりＬＡＮ上にデータを送信する事が可能である。
【００１６】
そして、ＩＰ電話機５は、ＩＰ構内交換機１からＬＡＮ上にマルチキャストされたＵＤＰパケットを含むＩＰパケットデータを受信する手段と、当該ＵＤＰパケットに一斉放送情報があった場合等にその情報を電話機上の画面に表示する表示部と、一斉放送受信時に点滅するランプとを備える。
【００１７】
保守端末６は、ＩＰ構内交換機１が動作するために必要となる局データ、または一斉放送のデータ登録を行う事ができる。それら登録されたデータはＩＰ構内交換機１内の蓄積メモリ３に格納される。保守端末６は一斉放送を登録するコマンドを有し、登録された情報をＩＰパケットに変換し、ＩＰ構内交換機１に送信する機能を有している。
【００１８】
続いて、ＵＤＰパケットについて説明する。ＵＤＰパケットは、ＴＣＰで行うような各制御機能を持たないためオーバーヘッドの少ない軽い通信を可能とし、コネクションレス（データグラム）プロトコルサービスを提供する。一般的にＴＣＰはＴＥＬＮＥＴ、ＦＴＰなど情報量の大きなものに、また、ＵＤＰは名前・アドレス情報、経路情報など単発で情報量の小さなものに使用されている。本実施形態で使用するマルチキャストＵＤＰパケットフォーマットを図２に示す。このフォーマットは、ＩＰヘッダとＵＤＰヘッダで構成される。ＩＰヘッダの宛先アドレス部では、一斉放送の対象となるマルチキャストＩＰアドレスを指定し、ＵＤＰヘッダ部では、宛先ポート番号を指定することになる。
【００１９】
このマルチキャストＩＰアドレスと宛先ポート番号は、図３に示す放送グループとしてＭＥＭ３に記憶されている。図中のマルチキャストＩＰアドレス１〜ｎは、それぞれ放送グループ１〜ｎに対応しており、かかるグループ単位で一斉放送を行うことが可能である。すなわち、前記マルチキャストＵＤＰフォーマットのＩＰヘッダの宛先ＩＰアドレスに任意のマルチキャストＩＰアドレスｎを指定し、またＵＤＰヘッダの宛先ポート番号にポート番号ｎを指定して、ＩＰ制御装置４からＬＡＮ上にパケットを送出する。なお、ＭＥＭ３への登録／削除／変更は保守端末６により操作する。
【００２０】
次に、本実施形態にかかるマルチキャストＵＤＰパケットを用いたＩＰ構内交換機からＩＰ電話機５へ一斉放送を行う動作について説明する。
【００２１】
ＩＰ電話機５は、回線接続時にＩＰ構内交換機１への接続要求を送信する。その要求を受けたＩＰ構内交換機１は、ＭＥＭ３から接続要求があったＩＰ電話機情報を検索し、該当するグループがあればそのマルチキャストＩＰアドレスと、ポート番号をＩＰ電話機５に通知する。ＩＰ電話機５は受信したマルチキャストＩＰアドレスとポート番号に対しソケットを開き一斉放送受信状態とする。
【００２２】
一斉放送を行う場合は、ＩＰ電話機５は、一斉放送したい情報と放送対象のＩＰ電話機５を指定し、その情報をＩＰパケットに編集しＩＰ構内交換機１に送信する。
【００２３】
ＩＰ構内交換機１は、一斉放送の要求を受けると、ＭＥＭ３から該当するＩＰ電話機５を検索する。検索の結果、該当するＩＰ電話機が存在すればＩＰ電話機の情報を一斉放送に使用するマルチキャストＩＰアドレスとポート番号を求める。検索されたマルチキャストキャストＩＰアドレス、ポート番号、および一斉放送を要求するＩＰ電話機５から受信した放送情報は、それぞれマルチキャストＵＤＰフォーマットの宛先ＩＰアドレスと、ＵＤＰヘッダの宛先ポート番号とアプリケーションデータに指定及び挿入され、ＩＰ制御装置４を使用して一定周期にＩＰパケットを送信する。
【００２４】
ＩＰ電話機５は、事前にマルチキャストＩＰパケットを受信待ちしているため、ＩＰパケットの受信によりそのアプリケーションデータを解読し、電話機の画面に表示をする。またこの時同時に一斉放送受信ランプを点滅させ、一斉放送があることを通知する。
【００２５】
図４は複数のＩＰ電話機グループに対する一斉放送機能の概要を示している。図４においてＩＰ電話機のグループはＸグループと、Ｙグループが存在し、それぞれマルチマルチキャストのＩＰアドレスまたはポート番号を分けることで、それぞれのグループで必要となる情報を同時に送信する事が可能である。たとえば会社内において幹部グループと担当グループに分けそれぞれ別々に必要な会議開催通知情報、連絡事項等の情報を分ける事が可能である。
【００２６】
本実施形態によれば、文字放送が可能でありそのため音声放送に比べ放送先に対し正確な情報を伝達する事が出来ることと、放送時放送先が重要な会話を行っている場合においても会話が中断されることなく情報を伝達する事が出来る。
【００２７】
またＩＰ構内交換機１は放送先のＩＰ電話機が複数存在しても、複数のＩＰ電話機を個々に処理する必要がなく従来の方式に比べ処理が軽くすむ。
【００２８】
次に，本発明の第２の実施形態について説明する。ＩＰ構内交換機の故障、バージョンアップ、またはＬＡＮのネットワーク輻輳、障害等をＩＰ構内交換機が制御する全ＩＰ電話機の使用者に対し、状態の通知、警告を一斉放送する事が可能である。
【００２９】
あらかじめＩＰ構内交換機にはＩＰ交換機の動作・運用状態、またはＬＡＮの状態を通知するためのマルチキャストアドレスを登録しておき、また全ＩＰ電話機においてもそのマルチキャストアドレスを通知し、全ＩＰ電話機は一斉放送を受信待ちにしておく。
【００３０】
ＩＰ構内交換機１のプログラム改修の場合は、プログラム交換の再開処理にて一旦ＩＰパケットのマルチキャストにより全ＩＰ電話機に対しシステムが停止の予告を一斉放送する。これを受けＩＰ電話機の使用者は、その予告に通話中であれば相手に用件を伝えた上で通話を終了することが出来る。
【００３１】
ＩＰ構内交換機１は、一定周期にＬＡＮの輻輳状態を監視し、ＬＡＮが輻輳状態と判断した場合は、全ＩＰ電話機に対し上記と同様の方法により、ＩＰによる電話がつながり難い、または音質が低下する旨を一斉放送する。これによりＩＰ電話機の使用者は、携帯電話等の別の手段により通話を確保する事が出来る。
【００３２】
【発明の効果】
第１の効果は，本発明においてはＩＰパケットを使用しているため一斉放送の伝達手段としては音声だけではなく文字放送または画像データの送信が可能であり、音声放送に比べ放送先に対しより豊富な情報伝達が可能であり、そのため従来に比べより詳細で正確な情報の伝達が可能となる。
【００３３】
第２の効果は、従来技術においては音声による放送であるため、放送先が通話中の場合一旦その通話を切断した上で放送元の電話機と再接続する必要があった。本発明においては放送先に対し文字による放送情報の伝達が可能であり、放送の受信者は通話を保持しながら一斉放送を受信する事が出来る。
【００３４】
第３の効果は、ＩＰ電話機のグループをグループ毎に分類し、それぞれ必要となる情報を提供する事が出来る。たとえば複数数のテナントが存在するビルにおいて各テナント毎にＩＰ電話機を分類しリアルタイムに必要となる情報を提供する事が出来る。
【００３５】
第４の効果は、ＩＰ構内交換機は放送先のＩＰ電話機が複数存在しても、複数のＩＰ電話機を個々に処理する必要がなく従来の方式に比べ処理が軽くすむ。その処理は放送先のＩＰ電話機が増えてもＩＰ交換機側にかかる負荷は変わらない。
【図面の簡単な説明】
【図１】本発明の実施形態にかかるＩＰ構内交換システムのブロック図である。
【図２】マルチキャストＵＤＰパケットのフォーマットである。
【図３】ＭＥＭ３のデータ構成を示す。
【図４】ＩＰ電話機を内線グループに分割した場合のＩＰ構内交換システムのブロック図である。
【符号の説明】
１    ＩＰ構内交換機
２    ＣＰＵ
３    メモリ（ＭＥＭ）
４    ＩＰ制御装置
５    ＩＰ電話機
５１  内線グループＸ
５２  内線グループＹ
６    保守端末
【図１】
2004172685.tif 000003
【図２】
2004172685.tif 000004
【図３】
2004172685.tif 000005
【図４】
2004172685.tif 000006